(57)【特許請求の範囲】
【請求項１】
柄と、この柄の端部に連結される清掃ヘッドとを備え、上記清掃ヘッドは、長手状に延びる掃毛保持面を有するヘッド本体と、上記掃毛保持面に基端部が保持される多数の掃毛からなる掃毛群とを有している清掃具であって、
上記掃毛保持面は、正面視において直線状もしくは略直線状に延びる第１部分と、正面視において上記第１部分の端部から斜め上方に延びる第２部分とを有し、
上記掃毛のうち、上記第２部分に保持されるものは、上記第２部分に対して略垂直状に延びており、かつ、
上記掃毛のうち、少なくとも上記第２部分において上記掃毛保持面の端部寄りに保持されるものは、上記掃毛保持面におけるその余の部位に保持されるものに対して硬質であり、
上記掃毛群における、上記清掃ヘッドの正面視において上記多数の掃毛の先端を結ぶ毛先線は、上記第１部分と平行もしくは略平行な第１毛先線と、上記掃毛群における上記掃毛保持面の長手方向端部において上記第１毛先線に対して９０°以下の鋭角で交差する第２毛先線と、を含み、
上記第１毛先線は、上記第２部分に保持された硬質の上記掃毛の領域まで延びていることを特徴とする、清掃具。
【請求項２】
上記第２部分は、上記第１部分に対し、３０〜６０°の角度をもって斜め上方に延びている、請求項１に記載の清掃具。
【請求項３】
上記第２部分は、上記第１部分の一端もしくは両端に形成されている、請求項１または２に記載の清掃具。
【発明の詳細な説明】
【技術分野】
【０００１】
本発明は、たとえば床面などの掃き掃除に使用される清掃具に関する。
【背景技術】
【０００２】
一般に、床面などの掃き掃除用の清掃具は、柄と、この柄の端部に連結される清掃ヘッドとを備え、清掃ヘッドは、多数本の掃毛の基端部が長手方向に延びるヘッド本体の掃毛保持面に保持された構成とされている。掃毛保持面に保持される多数本の掃毛としては、合成樹脂製の繊維が多く採用されており、たとえば軟質繊維と硬質繊維とを含むものが知られている（たとえば、特許文献１を参照）。特許文献１においては、同文献の図１に表れているように、正面視において、掃毛保持面（植毛面１１）の主要領域（主植毛領域１１ａ）に軟質繊維１２が保持され、当該主要領域の端の領域（補助植毛領域１１ｂ）に硬質繊維１３が保持されている。また、硬質繊維１３は、その毛先がヘッド本体（基台１０）の長手方向の端部から外側に少し広がるように保持されている。このような構成によれば、たとえば床面清掃の際には、ヘッド本体の端部に保持された硬質繊維１３の先端によって、床面の角隅部の塵埃や汚れを掻き取り易くなる。
【０００３】
しかしながら、上記従来の清掃具においては、正面視において、硬質繊維は、その毛先がヘッド本体の長手方向の端部から外側に少し広がるように保持されている。これにより、上記清掃具を床面清掃する姿勢にしたきに、ヘッド本体の長手方向の端部と、当該端部近傍に保持された硬質繊維の毛先との水平方向距離が比較的に短くなっている。したがって、たとえば床面の角隅部を掃くとき、ヘッド本体の端部が壁に衝突することを十分に防止することは難しく、角隅部の清掃作業によって壁を傷付けてしまうといった不都合が生じやすくなっていた。
【先行技術文献】
【特許文献】
【０００４】
【特許文献１】特開２００５−１１１０５５号公報
【発明の概要】
【発明が解決しようとする課題】
【０００５】
本発明は、このような事情のもとで考え出されたものであって、床面などの掃き掃除に使用される清掃具において、角隅部に掃毛を強く押し付けても掃毛の先端が変形しにくく、壁との衝突をより効果的に防止しつつ清掃作業を行うことができる清掃具を提供することを課題とする。
【課題を解決するための手段】
【０００６】
上記の課題を解決するため、本発明では、次の技術的手段を講じている。
【０００７】
本発明によって提供される清掃具は、柄と、この柄の端部に連結される清掃ヘッドとを備え、上記清掃ヘッドは、長手状に延びる掃毛保持面を有するヘッド本体と、上記掃毛保持面に基端部が保持される多数の掃毛からなる掃毛群とを有している清掃具であって、上記掃毛保持面は、正面視において直線状もしくは略直線状に延びる第１部分と、正面視において上記第１部分の端部から斜め上方に延びる第２部分とを有し、上記掃毛のうち、上記第２部分に保持されるものは、上記第２部分に対して略垂直状に延びており、かつ、上記掃毛のうち、少なくとも上記第２部分において上記掃毛保持面の端部寄りに保持されるものは、上記掃毛保持面におけるその余の部位に保持されるものに対して硬質であり、上記掃毛群における、上記清掃ヘッドの正面視において上記多数の掃毛の先端を結ぶ毛先線は、上記第１部分と平行もしくは略平行な第１毛先線と、上記掃毛群における上記掃毛保持面の長手方向端部において上記第１毛先線に対して９０°以下の鋭角で交差する第２毛先線と、を含み、上記第１毛先線は、上記第２部分に保持された硬質の上記掃毛の領域まで延びていることを特徴としている。
【０００８】
このような構成の清掃具においては、ヘッド本体の掃毛保持面は、正面視において直線状または略直線状に延びる第１部分と、この第１部分の端部から斜め上方に延びる第２部分とを有し、第２部分に保持される掃毛は、第２部分に対して略垂直状に延びている。これにより、第２部分に保持される掃毛は、第２部分の外方にあるものほど第１部分に保持される掃毛より毛足が長く、かつ外方に向けて傾斜して延びるようになる。したがって、第２部分の端部付近に保持される掃毛の先端が、ヘッド本体の端部（第２部分の端部）からより遠くに位置することになる。その結果、掃毛群の長手方向先端を角隅部に当てて清掃を行う場合、ヘッド本体全体が略直線状に延びる構成に比べて、壁からヘッド本体の端部（第２部分の端部）までの水平方向距離を長くすることができる。これにより、角隅部の清掃時において、ヘッド本体の端部が壁に衝突しにくくなり、壁を傷付けるといった不都合を防止することができる。また、第２部分に保持される掃毛のうち掃毛保持面の端部寄りのものは第１部分に保持される掃毛よりも毛足が長くなるが、より硬質であるので適度な弾性を保持しており、床面の角隅部を清掃する際には、硬質の掃毛によって角隅部の塵埃や汚れなどを適切に掻き取ることができる。
【０００９】
本発明においては、上記掃毛群における、上記清掃ヘッドの正面視において上記多数の掃毛の先端を結ぶ毛先線は、上記第１部分と平行もしくは略平行な第１毛先線を含んでいる。このような構成によれば、床面の清掃を適切に行うことができる。
【００１０】
本発明においては、上記掃毛群における、上記清掃ヘッドの正面視において上記多数の掃毛の先端を結ぶ毛先線は、上記掃毛群における上記掃毛保持面の長手方向端部において上記第１毛先線と交差する第２毛先線をさらに含んでいる。このような構成によれば、第２毛先線を構成する掃毛の先端を壁に直接擦り付けることが可能であり、当該壁に付着した塵埃や汚れなども掻き取ることができる。
【００１１】
本発明においては、上記第２毛先線は、上記第１毛先線に対して９０°以下の鋭角で交差する。このような構成によれば、床面の角隅部に掃毛を強く押し付けても掃毛の先端が変形しにくく、清掃具が壁と衝突するのをより効果的に防止しつつ、清掃作業を行うことができる。また、第１毛先線と第２毛先線の交差部近傍においては、角隅部の頂点に向けて掃毛の先端がやや先細り状に集まることになるので、角隅部の塵埃などを適切に掻き取ることができる。
【００１２】
本発明の好ましい実施の形態においては、上記第２部分は、上記第１部分に対し、３０〜６０°の角度をもって斜め上方に延び、また、上記清掃ヘッドの正面視左右方向片側において、上記第２部分は、上記第１部分の１／１〜１／４の長さを有する。このような構成によれば、角隅部の清掃時に、ヘッド本体全体が略一様に延びる構成に比べて、壁からヘッド本体の端部（第２部分の端部）までの水平方向距離を適度に長くすることができる。このことは、ヘッド本体の端部と壁との衝突を防止するうえで好適である。
【００１３】
本発明の好ましい実施の形態においては、上記第２部分は、上記第１部分の一端もしくは両端に形成されている。このような構成によれば、上記第２部分が上記第１部分の両端に形成されている場合、清掃ヘッドの長手方向のいずれを用いても角隅部の清掃を行うことができるので、使い勝手がよい。
【００１４】
本発明のその他の特徴および利点は、添付図面を参照して以下に行う詳細な説明によって、より明らかとなろう。
【図面の簡単な説明】
【００１５】
【図１】本発明に係る清掃具の一例を示す正面図である。
【図２】図１のＩＩ−ＩＩ線に沿う要部断面図である。
【図３】ヘッド本体の底面図である。
【図４】図１に示す清掃具の使用状態の一例を示す要部正面図である。
【図５】図１に示す清掃具の使用状態の一例を示す要部正面図である。
【発明を実施するための形態】
【００１６】
以下、本発明の好ましい実施の形態について、図面を参照して具体的に説明する。
【００１７】
図１は、本発明に係る清掃具の一例を示す正面図である。本実施形態の清掃具Ａは、柄１と、この柄１の端部に連結部材２を介して連結される清掃ヘッド３とを備えている。柄１は、たとえば、合成樹脂製、木製、あるいは軽量な金属製であり、中実または中空の棒状である。
【００１８】
連結部材２は、たとえば合成樹脂製であり、先端が開口した筒状部２１と、この筒状部２１に二股状に繋がって形成されるとともに、図２に表れているように、厚み方向に貫通する連結孔２２ａを有する一対の連結片２２とを有している。筒状部２１には、柄１の下端が嵌合しており、これにより連結部材２と柄１との連結が図られている。
【００１９】
清掃ヘッド３は、ヘッド本体３１と、多数の掃毛３２Ａからなる掃毛群３２とを有する。ヘッド本体３１は、たとえば合成樹脂製であり、長手方向に延びる棒状を呈している。このヘッド本体３１の長手方向中央の上面には、図２に表れているように、このヘッド本体３１の短手方向の一定の厚みをもつとともに厚み方向に貫通する連結孔３１３ａを有する連結部３１３が一体形成されている。この連結部３１３を挟むように上記連結部材２の一対の連結片２２を重ね、各連結孔２２ａ，３１３ａにネジ軸などの連結軸４を通挿するなどして、ヘッド本体３１と柄１とが、連結部材２を介してヘッド本体３１の短手方向に延びる中心軸Ｏ１を中心として回動可能に連結される。ここで、柄１とヘッド本体３１との回動動作については、たとえば連結部３１３と一対の連結片２２との接触摩擦により適度な節度感が与えられる。
【００２０】
上記掃毛群３２は、ヘッド本体３１の下面に形成された掃毛保持面３１１に植設された多数本の掃毛３２Ａにより形成される。掃毛保持面３１１は、ヘッド本体３１の正面視において、ヘッド本体３１の長手方向の中心を挟んで左右方向に水平または略水平に延びる第１部分３１１ａと、この第１部分３１１ａの両端からヘッド本体３１の長手方向外方に向かってそれぞれ上方に傾斜して延びる一対の第２部分３１１ｂとを有している。この実施形態では、第２部分３１１ｂは上記第１部分３１１ａの両端部からなだらかなラウンド部分３１１ｃを介して４５°の角度を持って斜め上方に延出させられているが、この角度は４５°に限定されるわけではなく、３０〜６０°の範囲で適宜定められる。また、この実施形態では、第２部分３１１ｂはラウンド部分３１１ｃを介して直線状に延びているが、第２部分３１１ｂが全体として凸にラウンドしていてもよい。さらに、ヘッド本体３１の片側における第２部分３１１ｂの第１部分３１１ａに対する長さの割合は、たとえば１／１〜１／４の範囲で適宜定められる。
【００２１】
掃毛保持面３１１には、図２および図３に表れているように、複数の植毛孔３１２が２列に形成されており、掃毛３２Ａは、たとえば、所定本ずつ基部において金属線等によって束ねた状態で基部から各植毛孔３１２に打ち込み、必要に応じて接着剤等で固定するなどといった公知の方法により、掃毛保持面３１１に対して植設される。また、掃毛３２Ａは、第１部分３１１ａに植設される掃毛３２Ａと第２部分３１１ｂに植設される掃毛３２Ａとで硬さを違えており、第２部分３１１ｂに植設される掃毛３２Ａのほうが第１部分３１１ａに植設される掃毛３２Ａよりも硬質のものが用いられる。
【００２２】
掃毛３２Ａは、たとえばポリエチレンテレフタレートなどの合成樹脂製の繊維からなり、清掃ヘッド３の正面視において掃毛群３２が末広がり状となるように掃毛保持面３１１に植設される。第２部分３１１ｂに植設される掃毛３２Ａは、第１部分３１１ａに植設される掃毛３２Ａよりもその繊維径を太くすることによって、第１部分３１１ａに植設される掃毛３２Ａよりも硬質とされている。第１部分３１１ａに植設される掃毛３２Ａの繊維径は、たとえば０．２ｍｍ程度であり、第２部分３１１ｂに植設される掃毛３２Ａの繊維径は、たとえば０．５ｍｍ程度である。実施形態では、掃毛保持面３１１の第２部分３１１ｂが第１部分３１１ａに対して傾斜しているので、第２部分３１１ｂについては、これに直角に延びるように掃毛３２Ａを植設することにより、掃毛３２Ａは自ずと末広がり状となる。この場合、第２部分３１１ｂの直線部分の植毛孔３１２は第２部分３１１ｂに直角に穿設すればよいので、植毛孔３１２の加工およびこの植毛孔３１２への掃毛３２Ａの植設が容易になる。
【００２３】
上記のように掃毛保持面３１１の第１、第２部分３１１ａ，３１１ｂに植設された多数本の掃毛３２Ａからなる掃毛群３２は、図１に示すように、掃毛３２Ａの先端を第１部分３１１ａと平行もしくは略平行に切り揃えられた第１毛先線３２ｂと、掃毛群３２の長手方向両端部において第１毛先線３２ｂと交差するように切り揃えられた第２毛先線３２ｃとを有している。第１毛先線３２ｂと第２毛先線３２ｃとの交差角は９０°以下の鋭角であることが望ましく、実施形態では約７５°となっている。ただし、第１毛先線３２ｂは、第２部分３１１ｂに植設された硬質の掃毛３２Ａの領域まで延びていることが必要である。
【００２４】
次に、上記構成の清掃具Ａの使用方法を説明する。
【００２５】
床面Ｆの清掃にあたっては、図１に示すように、第１毛先線３２ｂを床面Ｆに接触させて掃くようにする。傾斜状の第２部分３１１ｂから毛足の長い掃毛３２Ａが末広がり状に延びているので、ヘッド本体３１の長手寸法に対して第１毛先線３２ｂの延長長さが比較的長くなっている。したがって、１回の掃き操作で広い面積の床の清掃を行うことができ、清掃作業効率が高まる。
【００２６】
また、第２部分３１１ｂに植設された掃毛３２Ａは、第１部分３１１ａに植設された掃毛３２Ａよりも毛足が長くなるが、第１部分３１１ａに植設された掃毛３２Ａよりも硬質であるので、充分な弾性を有している。そのため、第２部分３１１ｂに植設された掃毛３２Ａは、第１部分３１１ａに植設された掃毛３２Ａによる掃き出し力と同等の掃き出し力を発揮することができ、このことも、床面清掃の効率をさらに高めることができる。
【００２７】
次に、壁に近い床面、すなわち、角隅部の清掃にあたっては、図４に示すように、第１毛先線３２ｂを床面に接触させると同時に、第１毛先線３２ｂと第２毛先線３２ｃの交差部ないし第２毛先線３２ｃを壁Ｗに接触させて掃くようにする。第２部分３１１ｂに植設された掃毛３２Ａが毛足長く斜めに延びているので、第１毛先線３２ｂの端部位置とヘッド本体３１の端部位置との間の距離ｄが充分に長くなるため、ヘッド本体３１の端部が壁Ｗに衝突して双方が傷つくといったことを防止することができる。また、第１毛先線３２ｂの端部付近の掃毛３２Ａは第２部分３１１ｂに植設された硬質のものであるので弾性が大きく、この弾性がヘッド本体３１の端部の壁Ｗへの近接に対する抵抗として働くため、ヘッド本体３１の端部が壁Ｗに衝突することを防止する上記の効果をより高めることができる。
【００２８】
さらに、角隅部の床Ｆ、および壁Ｗに接触する掃毛３２Ａは、第２部分３１１ｂに植設された硬質のものであるので、角隅部に付着したゴミや塵を効果的に掻き出すことができる。また、図５に示すように、掃毛群３２を角隅部に押し付けるようにしたとき、第１毛先線３２ｂの端部付近の掃毛３２Ａの先端が床面Ｆに案内されてより角隅部に近づこうとし、第２毛先線３２ｃを形成する掃毛３２Ａの先端が壁Ｗに案内されてより角隅部に近づこうとすることにより、掃毛３２Ａの先端が角隅部に集まって掃毛３２Ａの密度が増すので、上記した角隅部に付着したゴミや塵を掻き出す効果をより高めることができる。
【００２９】
もちろん、この発明の範囲は上記した実施形態に限定されるものではなく、各請求項に記載した事項の範囲内でのあらゆる変更は、すべて本発明の範囲に含まれる。
【００３０】
たとえば、実施形態では、掃毛保持面３１１の第２部分３１１ｂを第１部分３１１ａの両側に設けているが、第２部分３１１ｂを第１部分３１１ａの片側に設けるだけでもよい。
【００３１】
実施形態では、掃毛保持面３１１の第２部分３１１ｂに植設される掃毛３２Ａを全体として第１部分３１１ａに植設される掃毛３２Ａに対して硬質としているが、少なくとも、第２部分３１１ｂの外方側端部付近に植設される掃毛３２Ａをその他の部分に植設される掃毛３２Ａよりも硬質とすることによっても、本発明の利点を享受することができる。
【符号の説明】
【００３３】
Ａ        清掃具
Ｏ１      中心軸
１        柄
２        連結部材
３        清掃ヘッド
２１      筒状部
２２      連結片
３１      ヘッド本体
３２      掃毛群
３２Ａ    掃毛
３２ｂ    第１毛先線
３２ｃ    第２毛先線
３１１    掃毛保持面
３１１ａ    第１部分
３１１ｂ    第２部分
３１１ｃ    ラウンド部分
３１２    植毛孔
３１３    連結部
【図１】
0005433369.tif 000002
【図２】
0005433369.tif 000003
【図３】
0005433369.tif 000004
【図４】
0005433369.tif 000005
【図５】
0005433369.tif 000006